(57)【要約】【課題】  ディッピング操作のみによって当初から両端に開口があるスリーブを得ることができるようにし、生産性の向上を図り、均質の商品を安価に市場に提供すること。【解決手段】  合成樹脂素材の加熱溶融ゾル中に浸漬して金属棒の外周面に付着させた樹脂膜を金属棒から引き剥がして形成した柔軟質の絶縁スリーブ１であって、筒壁部３の一端側の開口部２に、開口端から内周面側に向かって折り返された短寸の環状部４を一体的に備えているもの。また、その製造方法に関するものである。【選択図】        図１
2005340059.tif 000002
【特許請求の範囲】
【請求項１】
合成樹脂素材の加熱溶融ゾル中に浸漬して金属棒の外周面に付着させた樹脂膜を金属棒から引き剥がして形成した柔軟質の絶縁スリーブ１であって、筒壁部３の一端側の開口部２に、開口端から内周面側に向かって折り返された短寸の環状部４を一体的に備えている電線端子用絶縁スリーブ。
【請求項２】
下端面６に上方内奥部７側に向かって凹入した凹入空間８を形成してある所定径の金属棒５を、合成樹脂素材を加熱溶融したゾル中に、所定の深さまで浸漬させて引き上げ、浸漬させた部分の外周面と、下端面６に形成してある前記凹入空間８の下端面近く部分とに樹脂膜１Ａを一体的に付着させ、冷却後、この付着樹脂膜１Ａを金属棒５から引き剥がして、下端側に開口部２を備え、この開口部２の周囲に筒壁部３から折り返された短寸の環状部４が一体的に形成されている電線端子用絶縁スリーブの製造方法。
【発明の詳細な説明】
【技術分野】
【０００１】
本発明は、電線の先端に連結して使用する電線端子における電線と端子金具との接続部の外周部に取り付けて絶縁被覆する絶縁スリーブと該絶縁スリーブの製造方法とに関するものである。
【背景技術】
【０００２】
この種の現在の電線端子用絶縁スリーブには、合成樹脂素材を射出成形手段によって形成する単純筒状の硬質スリーブと、合成樹脂素材を加熱溶融したゾルに金属棒を差し込んで引き上げ、付着した樹脂を金属棒から剥がして形成するディッピング手段による軟質スリーブとがある。本発明は、後者のディッピング手段によって形成する軟質スリーブに関するものである。
【０００３】
この後者のディッピング手段をより詳しく説明すると、図１４〜１９に示したように、図１５に示した金属棒１５を合成樹脂素材を加熱溶融したゾル中に差し込んで引き上げ、図１６のように該金属棒１５の周囲に溶融樹脂を付着させ、冷却後、金属棒１５に付着した樹脂を金属棒１５から引き剥がして図１７の有底の樹脂筒１２を得る。このようにして得た有底の樹脂筒１２を同図に記載したように、底部分から所要の長さを残して切断カッター１３によって環状に切断する。この切断操作によって、図１８に示したように、一端側に開口部１４を備えた円筒状の柔軟質の樹脂スリーブ１１を得る。
【０００４】
このようにして得た柔軟質の樹脂スリーブ１１は、図１９に示したように、電線ｃの端部に取り付けた端子ｔの圧着接続筒ｓの外周面とこれに続く電線端部の外周面とに亘って外嵌させて絶縁被覆するようにして使用する。
【特許文献１】特開平昭号公報
【特許文献２】特開平昭号公報
【発明の開示】
【発明が解決しようとする課題】
【０００５】
しかしながら、このような従来のディッピング製法によって得た電線端子用絶縁スリーブ１１は、ディッピング操作によって得た有底の樹脂筒１２を底部から所要の長さを残した部分で切断して円筒状とする作業を必ず伴うものである。この切断作業に当たって柔軟質の樹脂筒１２を切断端面が均一面になるように周方向均一に切断しなければならないことと、切断後の全ての樹脂スリーブ１１が軸線方向において略同一長さになる箇所で切断しなければならないため、高能率な量産化に適したものとは必ずしもいうことができなかった。また、このようにして得られた樹脂スリーブ１１は、切断面の外周部が角張っているため、電線端に端子ｔを圧着接続したのちに、前以て電線ｃの外周に嵌めておいた樹脂スリーブ１１を、図１９のように端子ｔの圧着接続筒ｓの外周面を覆うように押し上げて絶縁状態にするための操作で手荒れを生じ易いという解決すべき課題を有していた。
【０００６】
そこで、本発明は、従来のこの種のディッピング製法による樹脂スリーブ１１が有していた有底樹脂筒１２を形成した後に、底部を切断するという操作を一切不要なものとし、デッピング操作のみによって切断作業を終わらせた後の樹脂スリーブ１１のように、当初から両端に開口があるスリーブを得ることができるようにし、生産性の向上を図り、均質の商品を安価に市場に提供することを目的とする。
【課題を解決するための手段】
【０００７】
該目的を達成するために開発した本発明の電線端子用絶縁スリーブの構成を、実施例を示す図面に使用した共通の符号を用いて説明すると、合成樹脂素材の加熱溶融ゾル中に浸漬して金属棒の外周面に付着させた樹脂膜を金属棒から引き剥がして形成した柔軟質の絶縁スリーブ１であって、筒壁部３の一端側の開口部２に、開口端から内周面側に向かって折り返された短寸の環状部４を一体的に備えている構造としたものである。
【０００８】
また、このような構造とした電線端子用絶縁スリーブを製造する方法の構成は、下端面６に上方内奥部７側に向かって凹入した凹入空間８を形成してある所定径の金属棒５を、合成樹脂素材を加熱溶融したゾル中に、所定の深さまで浸漬させて引き上げ、浸漬させた部分の外周面と、下端面６に形成してある前記凹入空間８の下端面近く部分とに樹脂膜１Ａを一体的に付着させ、冷却後、この付着樹脂膜１Ａを金属棒５から引き剥がして、下端側に開口部２を備え、この開口部２の周囲に筒壁部３から折り返された短寸の環状部４が一体的に形成されている絶縁スリーブを製造する方法としたものである。
【発明の効果】
【０００９】
本発明にいう電線端子用絶縁スリーブは、筒壁部の一端側の開口部に、開口端から内周面側に向かって折り返された短寸の環状部を一体的に備えている構造としたものであるから、この折り返し環状部のある開口端は、肉厚になっていて鋭角部分のない滑らかな弧状となっているので、電線端部への装着作業が手荒れを起こすことなく容易に能率良く行い得て、しかも、前記折り返し環状部が電線被覆の外周面に密着し易く移動阻止作用も期待することができるという効果が得られる。
【００１０】
また、このような構造を備えた絶縁スリーブを製造する方法にあっては、デッピング操作用の金属棒の先端形状を内奥部側に向かって凹入する凹入空間を備えた構造としてあることによって、溶融ゾル中へのディッピング操作時に凹入空間内の空気の空圧抵抗により、ゾルが凹入空間の全面にまで入り込むことはなく、凹入空間内の一部分だけに入り込んだ状態で引き上げられ、底壁のないスリーブ体を直ちに得ることができるので、デッピング深さを一定にするだけで均一形状の絶縁スリーブを、後加工を必要とすることなく、能率良く量産できるという効果を有する。
【発明を実施するための最良の形態】
【００１１】
このような絶縁スリーブを製造するに当たっては、金属棒５の径、その下端部に形成した凹入空間の深さ、溶融ゾルの粘度等を調整することによって、スリーブの折り返し環状部の形状と折り返し量とを微妙に調整して実施することができる。
【実施例】
【００１２】
以下本発明の実施例を図面に基いて説明する。図１乃至図５は本発明の第１実施例について示した図であって、図１は本発明によって得た絶縁スリーブの斜視図、図２はデッピング操作に用いる金属棒の一部縦断正面図、図３はデッピング操作状態を示す一部縦断正面図、図４は図３におけるＡ−Ａ線以下の部分の拡大正面図、図５は絶縁スリーブの中央縦断正面図である。図６はその使用状態を示した図である。
【００１３】
これら図１乃至図５に示した第１実施例の絶縁スリーブは、最大径約２０ｍｍ、長さ約７０ｍｍ、平均肉厚約１．０ｍｍとした軟質塩ビ製のスリーブ１であって、図５にみられるように、筒壁部３の一端側（図において下側）の開口部２に、開口端から内周面側に向かって折り返された短寸の環状部４が周壁部と一体的に形成されている構造としたものである。
【００１４】
このような構造とした絶縁スリーブ１を形成するには、先ず、図２に示したように、下端面６に上方内奥部７側に向かって凹入した半球状の凹入空間８を形成してあり最大径を約１８ｍｍ、下半部の径を約１４ｍｍとした銅製の棒材（金属棒）５を、軟質のポリ塩化ビニール樹脂素材を加熱溶融したゾル中に、約７０ｍｍ弱の深さまで差し込んですぐに引き上げ、図３にみられるように、差し込んだ部分の外周面と、下端面６に形成してある前記凹入空間８の下端面近く部分とに樹脂膜１Ａを一体的に付着させ、冷却後、この付着樹脂膜１Ａを金属棒５から引き剥がして、図５に示したように、上下両側に開口部を備えた樹脂スリーブ１を得るのである。
【００１５】
このようにして得られたスリーブ１は、上下両端の開口部が何れも滑らかな端面を備えていて、図５において下端側の開口部２には、筒壁部３から内面側に向かって折り返された約２ｍｍ程度の短寸の環状部４が一体的に形成されている絶縁用の樹脂スリーブ１を得ることができる。
【００１６】
図７乃至図１１は第２実施例の絶縁スリーブ１を示したものであって、この絶縁スリーブ１は、前記第１実施例に示した絶縁スリーブ１に比して、外観上、下端側の開口部２が外側に向かって少し広がっている形状となっている。このスリーブ１は、図７及び図９に示したように、金属棒５の凹入空間８を形作る下端面６に近い部分５ａを外広がり状に形成して、金属棒５の外周面に付着した樹脂膜１Ａの下端部分が少し外側に張り出し、凹入空間８側に向かって折り返された短寸の環状部４も少しだけ樹脂膜１Ａの内面側に突出している構造としたものである。
【００１７】
更に、図１２及び図１３に示した第３実施例の絶縁スリーブは、金属棒５の凹入空間８を形作る下端面に近い部分５ｂを樹脂膜１Ａの幅だけ、即ち約１ｍｍ程度外側に張り出した形に形成して、金属棒５の外周面に付着した樹脂膜１Ａの下端部分が外側に張り出し、凹入空間８側に向かって折り返された短寸の環状部４の内周面が樹脂膜１Ａの内周面と略同じ内周面を形作る構造としたものである。
【００１８】
以上本発明の代表的と思われる実施例について説明したが、本発明は必ずしもこれらの実施例に示した構造のみに限定されるものではなく、外観形状をはじめとし、本発明にいう構成要件を備え、本発明にいう目的を達成し、上記の効果を有する範囲内において適宜改変して実施することができるものである。
【産業上の利用可能性】
【００１９】
本発明にいうところの電線端子用絶縁スリーブは、両端の開口部が何れも滑らかな端面を備えていて、切断端面のような鋭角部分がなく滑らかな弧状となっているので、電線端部への装着作業が手荒れを起こすことなく容易に能率良く行い得るので、市場において歓迎され大いに使用されるものと期待される。
【図面の簡単な説明】
【００２０】
【図１】第１実施例の絶縁スリーブを示す斜視図。
【図２】金属棒の一部縦断正面図。
【図３】ディッピング状態を示す一部縦断正面図。
【図４】図３におけるＡ−Ａ線断面拡大図。
【図５】スリーブの中央縦断面図。
【図６】使用状態を示す一部中央縦断正面図。
【図７】第２実施例の金属棒を示す一部縦断正面図。
【図８】第２実施例のディッピング状態を示す一部縦断正面図。
【図９】図８におけるＢ−Ｂ線断面拡大図。
【図１０】第２実施例のスリーブの中央縦断面図。
【図１１】第２実施例の使用状態を示す一部中央縦断正面図。
【図１２】第３実施例のディッピング状態を示す一部縦断正面図。
【図１３】図１２におけるＣ−Ｃ線断面拡大図。
【図１４】従来例の絶縁スリーブを示す斜視図。
【図１５】従来例の金属棒を示す一部縦断正面図。
【図１６】従来例のディッピング状態を示す一部縦断正面図。
【図１７】ディッピングによって得られた有底筒の中央縦断面図。
【図１８】従来例のスリーブの中央縦断面図。
【図１９】従来例の使用状態を示す一部中央縦断正面図。
【符号の説明】
【００２１】
１  絶縁スリーブ
２  開口部
３  筒壁部
４  環状部
５  金属棒
６  下端面
７  内奥部
８  凹入空間
１Ａ  樹脂膜
【図１】
2005340059.tif 000003
【図２】
2005340059.tif 000004
【図３】
2005340059.tif 000005
【図４】
2005340059.tif 000006
【図５】
2005340059.tif 000007
【図６】
2005340059.tif 000008
【図７】
2005340059.tif 000009
【図８】
2005340059.tif 000010
【図９】
2005340059.tif 000011
【図１０】
2005340059.tif 000012
【図１１】
2005340059.tif 000013
【図１２】
2005340059.tif 000014
【図１３】
2005340059.tif 000015
【図１４】
2005340059.tif 000016
【図１５】
2005340059.tif 000017
【図１６】
2005340059.tif 000018
【図１７】
2005340059.tif 000019
【図１８】
2005340059.tif 000020
【図１９】
2005340059.tif 000021
【手続補正書】
【提出日】平成16年6月9日(2004.6.9)
【手続補正１】
【補正対象書類名】図面
【補正対象項目名】図７
【補正方法】変更
【補正の内容】
【図７】
2005340059.tif 000022
【手続補正２】
【補正対象書類名】図面
【補正対象項目名】図８
【補正方法】変更
【補正の内容】
【図８】
2005340059.tif 000023
【手続補正３】
【補正対象書類名】図面
【補正対象項目名】図９
【補正方法】変更
【補正の内容】
【図９】
2005340059.tif 000024
【手続補正４】
【補正対象書類名】図面
【補正対象項目名】図１０
【補正方法】変更
【補正の内容】
【図１０】
2005340059.tif 000025
【手続補正書】
【提出日】平成16年6月25日(2004.6.25)
【手続補正１】
【補正対象書類名】明細書
【補正対象項目名】０００４
【補正方法】変更
【補正の内容】
【０００４】
このようにして得た柔軟質の樹脂スリーブ１１は、図１９に示したように、電線ｃの端部に取り付けた端子ｔの圧着接続筒ｓの外周面とこれに続く電線端部の外周面とに亘って外嵌させて絶縁被覆するようにして使用する。
【特許文献１】実公平６−３７５７５号公報
【特許文献２】実公平６−１５４３３号公報